(57)【要約】【課題】貯水と通気の効果に優れた植木鉢底部の構造を提供する。【解決手段】鉢本体２０の底部に一本以上の通気管２１と通水管２２を設け、該通気管２１には一定の高さを設けて鉢底部に貯水空間Ｌを形成し、さらに、鉢本体内部に設置される敷板１２に設けた脚１４の通気孔１３を利用して水を鉢内部に盛られた栽培土１に浸透させるようにし、さらに、該通水管２２には制水ユニット３０を設けて先端を水源に連結させることで自動で適量の水を供給する機能及び止水の機能を提供する。また、栽培土１中に補助通気管２３を設けることもできる。【選択図】図２
2004008097.tif 000002
【特許請求の範囲】
【請求項１】
鉢本体と、該鉢本体内に設けられ、内部に盛られる栽培土に対して大きな面積により通気効果を提供するべく多数の通気孔が設けられ、また、底部には該鉢本体底部と接触する脚が設けられた敷板と、を具有し、該鉢本体底部の内面には一本以上の外部に連通する通気管が設けられており、該通気管は空洞状であり一定の高さを具有し、且つ、敷板底部に接触しないことより通気の効果を提供すると同時に、鉢本体底部に貯水空間を形成しており、該貯水空間が満水状態になっても水位は該通気管の高さよりも低いことより、水面は該敷板と距離が置かれ、該通気管による通気効果が保たれ、さらに、通気孔の設けられた該敷板は通気孔を具有する脚の部分が貯水空間の水中に入り込んで、栽培土中に水を浸透吸水させて、次回に水を撒くまでの時間を延ばし、水を頻繁に撒かなくてもよいようにしていることを特徴とする単層タイプの植木鉢底部の構造。
【請求項２】
多数の通気孔と底部に脚の設けられた敷板が内部に設けられていることで、栽培土底面に対して大面積による通気の効果を提供しており、且つ該脚が鉢本体底部に接触している鉢本体を具有し、該鉢本体底部の内面には外部と連通した一本以上の通気管が設けられており、該通気管は一定の高さを具有して空洞状を呈しており、且つ、該敷板底部と接触していないことより通気の効果を提供しており、さらに、該鉢本体の底部には、鉢外部に貫通する通水管が設けられており、該通水管は、内側先端に通水と止水を制御する制水ユニットが設けられており、外側先端には給水ホースによって給水源にまで連結されており、該給水ホースによって該鉢本体底部の給水空間内に給水が行われることを特徴とする単層タイプの植木鉢底部の構造。
【請求項３】
該制水ユニットは主に柔軟性の管と浮きとより構成され、該柔軟性の管には切込みが設けられており、該鉢本体底部の水位が高く、給水が不要である場合は該切込みは閉じた状態となり、また、逆に、水位が低く、給水が必要である場合は該柔軟性の管が下方に湾曲することにより該切り込みが開いた状態となり、水が該切込みより流出し、自動で適当な水量の供給及び止水の機能が提供されていることを特徴とする請求項２記載の単層タイプの植木鉢底部の構造。
【請求項４】
該通気管には多数の通気孔が設けられた補助通気管が連結されており、該補助通気管の長さは該鉢本体内部で巻かれる程の長さであり、該鉢本体中に盛られた栽培土中に通気の効果を提供していることを特徴とする請求項１または請求項２記載の単層タイプの植木鉢底部の構造。
【発明の詳細な説明】
【０００１】
【発明の属する技術分野】
本発明は、単層タイプの植木鉢底部の構造に関わり、特に、優れた貯水機能と通気性を提供し、自動で給水量及び止水が制御されることにより、栽培が容易で植物にとって最適な水量と通気性が随時提供されるものに関わる。
【０００２】
【従来の技術】
公知構造の植木鉢においては、図７、８に示すように、鉢本体１０の底部には通気孔１１が設けられており、該鉢本体１０内には敷板１２が設けられており、該敷板１２は平板状を呈しており、該敷板１２には通気孔１３が複数設けられており、該敷板１２の底部には空洞状を呈した脚１４が設けられており、該脚１４の側壁にも通気孔が設けられている。該敷板１２を該鉢本体１０中に設置すると、該敷板１２の下部と該鉢本体１０との間に空間が形成される。つまり、該敷板１２を設けることで鉢本体１０の底部に通気を提供する効果が得られている。
【０００３】
【発明が解決しようとする課題】
しかし、上述のような公知構造のものにも以下に示すような欠点がある。
先ず、鉢本体の底部の通気孔によって通気の機能は提供されてはいるが、この通気孔より水が逃げるため「貯水」の効果を下げていること、よって、水を撒いたりして、給水をしばしば行わなければならないことが面倒であったりする。
そこで、貯水と通気の効果に優れた本発明の単層タイプの植木鉢底部の構造を提供する。
【０００４】
【課題を解決するための手段】
鉢本体の底部に一本以上の通気管と通水管を設け、該通気管には一定の高さを設けて鉢底部に貯水空間を形成し、さらに、鉢本体の内部に設置される敷板に設けた脚の通気孔を利用して水を鉢内部に盛られた栽培土に浸透させるようにし、水撒きの回数を減らすと共に、さらに、該通水管には制水ユニットを設けて先端を水源に連結させることで、水撒きを行わなくとも自動で適量の水を供給する機能及び止水の機能を提供し、また、補助通気管を土壌中に設けることでさらに通気性を良くする。
【０００５】
すなわち、本発明は、鉢本体と、該鉢本体内に設けられ、内部に盛られる栽培土に対して大きな面積により通気効果を提供するべく多数の通気孔が設けられ、また、底部には該鉢本体底部と接触する脚が設けられた敷板と、を具有し、該鉢本体底部の内面には一本以上の外部に連通する通気管が設けられており、該通気管は空洞状であり一定の高さを具有し、且つ、敷板底部に接触しないことより通気の効果を提供すると同時に、鉢本体底部に貯水空間を形成しており、該貯水空間が満水状態になっても水位は該通気管の高さよりも低いことより、水面は該敷板と距離が置かれ、該通気管による通気効果が保たれ、さらに、通気孔の設けられた該敷板は通気孔を具有する脚の部分が貯水空間の水中に入り込んで、栽培土中に水を浸透吸水させて、次回に水を撒くまでの時間を延ばし、水を頻繁に撒かなくてもよいようにしていることを特徴とする単層タイプの植木鉢底部の構造である。
【０００６】
また、本発明は、多数の通気孔と底部に脚の設けられた敷板が内部に設けられていることで、栽培土底面に対して大面積による通気の効果を提供しており、且つ該脚が鉢本体底部に接触している鉢本体を具有し、該鉢本体底部の内面には外部と連通した一本以上の通気管が設けられており、該通気管は一定の高さを具有して空洞状を呈しており、且つ、該敷板底部と接触していないことより通気の効果を提供しており、さらに、該鉢本体の底部には、鉢外部に貫通する通水管が設けられており、該通水管は、内側先端に通水と止水を制御する制水ユニットが設けられており、外側先端には給水ホースによって給水源にまで連結されており、該給水ホースによって該鉢本体底部の給水空間内に給水が行われることを特徴とする単層タイプの植木鉢底部の構造である。
【０００７】
また、本発明は、該制水ユニットは主に柔軟性の管と浮きとより構成され、該柔軟性の管には切込みが設けられており、該鉢本体底部の水位が高く、給水が不要である場合は該切込みは閉じた状態となり、また、逆に、水位が低く、給水が必要である場合は該柔軟性の管が下方に湾曲することにより該切り込みが開いた状態となり、水が該切込みより流出し、自動で適当な水量の供給及び止水の機能が提供されていることを特徴とする上記の単層タイプの植木鉢底部の構造である。
【０００８】
また、本発明は、該通気管には多数の通気孔が設けられた補助通気管が連結されており、該補助通気管の長さは該鉢本体内部で巻かれる程の長さであり、該鉢本体中に盛られた栽培土中に通気の効果を提供していることを特徴とする上記の単層タイプの植木鉢底部の構造である。
【０００９】
【発明の実施の形態】
図１から図６の各図に示すように、本発明は、鉢本体２０を具有し、通気孔１３が複数設けられて底部に脚１４を具有する敷板１２が該鉢本体２０内に設けられており、また、該脚１４は該鉢本体２０の底部と接触しており、こうすることにより、中に盛られた栽培土１の底部に対して、良好な通気効果が提供されている。
【００１０】
該鉢本体２０の底部内側には、一本以上の外部に連通する通気管２１が設けられており、該通気管２１は一定の高さを具有し、且つ、空洞状に設計されており、同時に、該敷板１２の底部には接触しない設計で通気効果を妨げないようにしている。こうして、該鉢本体２０の底部には一定の高さを具有する貯水空間Ｌが形成されているが、通気効果には影響がないようになっている。
【００１１】
また、該鉢本体２０の底部には、鉢外部に貫通する通水管２２が設けられており、該通水管２２の内側先端には通水／止水を制御する制水ユニット３０が設けられている。また、該通水管２２の外側先端には給水ホース３が設けられており、給水源２（給水槽，蛇口など）にまで連結されている。該制水ユニット３０は柔軟性の管３１、浮き３３より構成されており、該柔軟性の管３１にはさらに切込み３２が設けられており、こうすることで、鉢内底部の水位が高くて水を供給する必要がないとき、該浮き３３が上昇して該切込み３２がきつく閉じられた状態となり、止水状態となる。逆に、水位が低くて水を供給する必要のある場合には、該浮き３３が下降して該柔軟性の管３１が下方に向かって湾曲し、開いた状態となった該切込み３２より貯水空間に水が流出し始める。こうすることで、自動で適量の給水、及び止水が行われるべく制御される目的を達成する。
また、図２に示すように、該通気管２１は複数の通気孔２３０が設けられた補助通気管２３を接続してもよく、該補助通気管２３の長さは基本的に該鉢本体２０中で巻かれるほどの長さとし、こうすることで、栽培土１の中の通気をよくする効果を提供することもできる。
【００１２】
上述の構造により、本発明は、図５、図６に示すように、貯水空間Ｌを具有して貯水ができるが、該通気管２１の先端の高さが該敷板１２より低いという点より、貯水されている水面と該敷板１２の底面とには距離が置かれており、よって、該通気管２１より空気が入りこみ、貯水と同時に通気の効果も提供されている。
また、該敷板１２は内部が空洞状である該脚１４が貯水空間の水中に入りこんで栽培土１に水を浸透吸水させるため、水が貯まり易く、次回に水を撒くまでの時間を引き延ばすことができ、よって、水撒きの回数を減らすことができる。逆に、水撒きの回数が多過ぎる、または雨などにより、上方より多量の水が供給された場合でも、水は該貯水空間Ｌ中に至って貯水され、水が通気管２１の先端の高さに至ると該通気管２１より排出されるため、該敷板１２の底部に通気空間を具有して、水が貯水空間を完全に満たさない。
【００１３】
図２、図３に示すように、自動での給水と制水において、通水管２２に給水ホース３によって該給水源２（例えば貯水池や蛇口）にまで接続した場合では、制水ユニット３０によって該貯水空間Ｌの水位が使用されて水位が低まったとき（図３参照）、該制水ユニット３０の浮き３３が下降し、該柔軟性の管３１を下方に湾曲させ、該切り込み３２が開き、こうすることで、水が該切込み３２より該貯水空間Ｌ中に入り込む。水位が高まって水を補給する必要がなくなったとき、該浮き３３は上昇し、該切込み３２が閉じて止水状態となる。
【００１４】
また、図４に示すように、複数の鉢本体２０の通水管２２を該給水ホース３と繋ぎ合わせることができる構造とすることで、大量の鉢に対して同時に給水が行われるようになり、鉢植えを専門とする業者等にとって水撒きの時間を大幅に短縮する目的を提供することもできる。
【００１５】
【発明の効果】
本発明によると、自動で入水、止水、及び入水量が制御されるのに加え、水源に連結することで人が水を撒く必要がなくなり、また、補助通気管を栽培土中に埋め込むことでさらに通気性が高められており、植物を育てるのに簡単で且つ最も適した水や空気の提供を行うことができる。
【図面の簡単な説明】
【図１】本発明の植木鉢の底部構造の一実施例の立体分解部分断面斜視図である。
【図２】図１に示す実施例の植木鉢の使用時における止水状態を示す部分断面図である。
【図３】本発明の植木鉢の底部構造の一実施例の使用時における入水状態を示す断面図である。
【図４】本発明の植木鉢の底部構造において、複数の鉢本体に対して統一して給水する実施態様を示す断面図である。
【図５】本発明の植木鉢の底部構造の別の実施例を示す部分断面斜視図である。
【図６】図５に示す実施例の植木鉢本体全体の断面図である。
【図７】公知構造の植木鉢における立体分解部分断面斜視図である。
【図８】図７に示す公知構造の植木鉢本体全体の断面図である。
【符号の説明】
１　栽培土
２　給水源
３　給水ホース
１０、２０　鉢本体
１１、１３、２３０　通気孔
１２　敷板
１４　脚
２１　通気管
２２　通水管
２３　補助通気管
３０　制水ユニット
３１　柔軟性の管
３２　切込み
３３　浮き
Ｌ　貯水空間
【図１】
2004008097.tif 000003
【図２】
2004008097.tif 000004
【図３】
2004008097.tif 000005
【図４】
2004008097.tif 000006
【図５】
2004008097.tif 000007
【図６】
2004008097.tif 000008
【図７】
2004008097.tif 000009
【図８】
2004008097.tif 000010